(57)【要約】【課題】マツ樹幹に対する損傷を伴わずに、簡便で確実かつ安全に殺線虫剤をマツ樹体内部に浸透させることのできる、マツザイセンチュウ病の防除方法を提供すること。【解決手段】マツの樹幹表層またはマツの樹幹の外樹皮を剥離した部分に、殺線虫剤を塗布または散布することによって、簡便に殺線虫剤をマツ樹体内部に浸透させる。【選択図】  なし【特許請求の範囲】
【請求項１】
マツの樹幹表層またはマツの樹幹の外樹皮を剥離した部分に、次の（ａ）、（ｂ）、（ｃ）から選択される１種の方法または２種以上を組み合わせた方法、（ａ）殺線虫剤を直接塗布もしくは散布する、（ｂ）殺線虫剤を担体に含有させてその担体を接触させる、（ｃ）殺線虫剤を担体に含有させて該担体を支持体上に支持させて該支持体の担体含有面を接触させる、によってマツ樹体への損傷を伴わずに、殺線虫剤をマツ樹幹表面からマツ樹体内部に浸透させることを特徴とするマツザイセンチュウ病の防除方法。
【請求項２】
前記した（ａ）、（ｂ）、（ｃ）から選択される１種の方法または２種以上を組み合わせた方法で処理した後に、マツ樹幹表面にまたはマツ樹幹表面に接触している前記した支持体に重ねて、耐水性、耐光性の薄膜で被覆することを特徴とする請求項１記載のマツザイセンチュウ病の防除方法。
【請求項３】
前記した（ａ）殺線虫剤を直接塗布もしくは散布する方法を行う際に、該殺線虫剤を水、または有機溶剤に溶解させ、浸透性を高めるための界面活性剤を加えた薬剤とし、該薬剤を使用することを特徴とする請求項１または請求項２記載のマツザイセンチュウ病の防除方法。
【請求項４】
前記した（ａ）殺線虫剤を直接塗布もしくは散布する方法を行う際に、前記した薬剤を滴下用管を装着した容器に入れ、該滴下用管の出口がマツ樹幹表面に接触するように固定し、該滴下用管を装着した容器には随時薬剤を追加することが可能であり、該薬剤を少量ずつ直接塗布することを特徴とする請求項３記載のマツザイセンチュウ病の防除方法。
【請求項５】
前記した担体が膠状担体であり、前記した殺線虫剤を直接または殺線虫剤を水、有機溶剤の溶液としてから、膠状担体に含有させることを特徴とする請求項１〜請求項３のいずれかの項に記載のマツザイセンチュウ病の防除方法。
【請求項６】
前記した殺線虫剤を含有させる担体が、帯状または紐状であることを特徴とする請求項１〜請求項３のいずれかの項に記載のマツザイセンチュウ病の防除方法。
【請求項７】
前記した担体が、多孔質の有機物質および多孔質の無機物質の中から選択される１種以上からなり、該担体を前記した殺線虫剤および水、有機溶剤、界面活性剤と混合させた製剤として使用することを特徴とする請求項１〜請求項３のいずれかの項に記載のマツザイセンチュウ病の防除方法。
【請求項８】
前記した殺線虫剤を含有させる担体を支持する支持体が、帯状または紐状であることを特徴とする請求項１〜請求項３、または請求項７のいずれかの項に記載のマツザイセンチュウ病の防除方法。
【請求項９】
前記した滴下用管を装着した容器、前記した殺線虫剤を含有させる帯状または紐状である担体、前記した殺線虫剤を含有させる担体を支持する支持体を、落下防止用固定具でマツ樹幹に固定することを特徴とする請求項４、請求項６または請求項８のいずれかの項に記載のマツザイセンチュウ病の防除方法。
【請求項１０】
前記した殺線虫剤が、レバミゾール、レバミゾール塩、モランテル、モランテル塩、ピペラジン、ピペラジン塩、ミルベメクチン、ネマデクチンおよびエマメクチン安息香酸塩の中から選択される１種または２種以上である請求項１〜請求項９のいずれかの項に記載のマツザイセンチュウ病の防除方法。
【発明の詳細な説明】
【０００１】
【発明の属する技術分野】
本発明は、マツザイセンチュウ病防除方法に関するものである。
【０００２】
【従来の技術】
マツの枯損をもたらすマツザイセンチュウ病は、マツノマダラカミキリが媒介となり、マツノザイセンチュウという病原線虫がマツに感染して発病に至る。本病原線虫の化学的防除方法としては、殺線虫剤を樹幹に穴をあけて注入する防除法（以後「樹幹注入法」と称する）がある（例えば、特許文献１参照。）。樹幹注入法は比較的高価であるものの効果が高いため、防除の必要性の高い重要なマツに対して用いられている。現在市販されているマツノザイセンチュウ防除のための殺線虫剤としては［／表１］のものがある。
【０００３】
【表１】
2004182708.tif 000002
【０００４】
【特許文献１】
特公平３−４７８０３号公報
【０００５】
【発明が解決しようとする課題】
しかしながら、樹幹注入法は形成層はもとより、深さ３ｃｍ以上の穴を樹幹部にあけるため、マツに対して損傷を与える。また効果の持続期間は各殺線虫剤によって異なるが、１年間から４年間であり、長期間防除を持続させるためには何度も薬剤を処理しなくてはならない。従って、そのたびに損傷が増加するという問題点があった。また、マツは樹幹に穴をあけると樹脂の流出が激しくなるので、その処理は冬か早春に限定され、薬剤を確実かつ安全に注入するためには数回の注入確認も必要とし、多大な時間と労力を必要としていた。本発明は、マツ樹幹に対する損傷を伴わずに、簡便で確実かつ安全に殺線虫剤をマツ樹体内部に浸透させることのできる、マツザイセンチュウ病の防除方法を提供することを目的としている。
【０００６】
【課題を解決するための手段】
マツ樹幹に対する損傷を伴わない殺線虫剤の処理方法を検討した結果、既に知られているマツノザイセンチュウ防除薬剤を、樹幹部に穴をあけずに樹幹表面から徐々に内部に浸透させ、その後マツノザイセンチュウが感染しても発病を抑制する方法を見出し、本発明を完成するに至った。すなわち本発明は、マツの樹幹表層またはマツの樹幹の外樹皮を剥離した部分に、次の（ａ）、（ｂ）、（ｃ）から選択される１種の方法または２種以上を組み合わせた方法、（ａ）殺線虫剤を直接塗布もしくは散布する、（ｂ）殺線虫剤を担体に含有させてその担体を接触させる、（ｃ）殺線虫剤を担体に含有させて該担体を支持体上に支持させて該支持体の担体含有面を接触させる、によってマツ樹体への損傷を伴わずに、殺線虫剤をマツ樹幹表面からマツ樹体内部に浸透させることを特徴とするマツザイセンチュウ病の防除方法である。
【０００７】
また本発明は、前記した（ａ）、（ｂ）、（ｃ）から選択される１種の方法または２種以上を組み合わせた方法で処理した後に、マツ樹幹表面にまたはマツ樹幹表面に接触している前記した支持体に重ねて、耐水性、耐光性の薄膜で被覆することを特徴とするマツザイセンチュウ病の防除方法である。
【０００８】
マツの樹幹表層は、樹種、年齢によって外樹皮が厚い場合もある。この場合は外樹皮の一部を剥離し、その部位に殺線虫剤を含有する薬剤を処理することにより、薬剤の処理量を減少させ、効果を速やかに発揮させることができる。また、外樹皮の割れ目部位は薬剤が浸透しやすいため、その部位に処理することも可能である。また、外樹皮の外側に薬剤を処理した場合は、所要時間は長くなるが、薬剤がゆっくりと浸透していくため、従来は樹脂流出のため処理が冬〜早春に限定されていたのを、周年処理することにより、薬剤の浸透量を増加させ、効果を確実に発揮させることもできる。
【０００９】
従来は殺線虫剤をマツ樹体内に確実に注入する方法としては、樹幹注入法以外に考えられないとされていたが、本発明のマツザイセンチュウ病の防除方法では、マツ樹体への損傷を伴わずに殺線虫剤をマツ樹幹表面からマツ樹体内部に浸透させることができる。
【００１０】
【発明の実施の形態】
本発明の殺線虫剤はその化学的性質により水、または適切な有機溶剤に溶解させ、浸透性を高めるための界面活性剤を加えた薬剤を調製し、該薬剤をマツ樹幹表面に直接塗布もしくは散布する方法も採用することができる。また該薬剤を滴下用管を装着した容器に入れ、該滴下用管の出口がマツ樹幹表面に接触するように固定し、該滴下用管を装着した容器には随時薬剤を追加することを可能にした方法も採用することができる。さらに、該滴下用管と容器が一体になった形状のものも採用することができる。
【００１１】
また本発明の殺線虫剤溶液を、シリカ、ホワイトカーボン等の多孔質の無機担体やラノリン等の有機担体に含浸させて用いたり、水溶液をポリアクリルアミドやポリアクリル酸塩に保持させて膠状にして用いて、飛散や流亡を抑制した状態でマツの樹幹表面に接触させることも出来る。
【００１２】
本発明の殺線虫剤を帯状または紐状の担体に含有させて用いる場合は、殺線虫剤溶液を、適当な形状に加工した不織布、紙等に含有させる。また多孔質の有機担体または無機担体に担持させ、該担体を支持体であるプラスチックフィルム、紙、耐水性、耐光性の薄膜などに塗布し、低沸点有機溶媒や水を除去したのち使用に際して適切な形状に加工して用いる。
【００１３】
本発明の製剤では、場合により界面活性剤を使用することができる。陰イオン系、陽イオン系、非イオン系のいずれかを用いることが出来るが、特にアルキルベンゼンスルホン酸塩、ナフタレンスルホン酸塩、アルキルスルホコハク酸塩等の陰イオン界面活性剤、ポリオキシエチレンアルキルアリールエーテル、ポリオキシエチレン高級アルコールエーテル等の非イオン系界面活性剤が浸透性に優れている。
【００１４】
本発明の具体的な処理方法としては、簡単な塗布、散布による方法がある。散布時の飛散や風雨による流亡等を防止するためには、片面に耐雨性を付与した帯状もしくは紐状の担体の反対側面に薬剤を含ませ、その薬剤含有面をマツ樹幹表面に接触するように貼り付ける、または巻き付ける方法がより好ましい。この方法によれば、不特定の人が処理中のマツ樹幹に近づいた場合、薬剤に直接触れる危険性が無くなるので好ましい。
【００１５】
また、滴下用管を装着した容器に薬剤を入れ、マツ樹皮に薬剤が接触するように固定して、薬剤を少量ずつ滴下、浸透させる方法は、随時薬剤を容器に追加することにより継続的な使用も可能である。
【００１６】
本発明のマツザイセンチュウ病の防除方法では、滴下用管を装着した容器、殺線虫剤を含有させる帯状または紐状である担体、殺線虫剤を含有させた担体を支持する支持体等が、それらだけでも十分にマツ樹幹に保持されているが、さらに落下防止用固定具でマツ樹幹に固定して使用することもできる。落下防止用固定具はマツ樹体に損傷を与えないものであれば、どのようなものでも良く、緑化テープ、ガムテープ、麻布、スプリング、各種フック等が挙げられる。
【００１７】
【実施例】
本発明の実施の形態を製剤例及び生物効果試験例によって説明する。
［製剤例１］塩酸レバミゾールの帯状製剤
塩酸レバミゾール５０％、ノニルベンゼンスルホン酸ソーダ５％を含有する水溶液に不織布を浸し、乾燥後裁断し幅３ｃｍの帯状の布を作製して、０．１１ｇ／ｃｍ２の塩酸レバミゾールを含む布を調製した。
【００１８】
［製剤例２］塩酸レバミゾールの膠状製剤
カープレックス（多孔質シリカ、塩野義製薬商品名）１００ｇに塩酸レバミゾール５０％、ジオクチルスルホコハク酸ソーダ３％を含む水溶液１５０ｇを含浸させて３０％の塩酸レバミゾールを含む膠状製剤を調製した。
【００１９】
［製剤例３］ミルベメクチン含有膠状製剤
ミルベメクチン１ｇ、ポリオキシエチレンセチルアルコールエーテル４ｇ、ポリエチレングリコール１５ｇをセルロース粉末３０ｇに混練して、幅５ｃｍの樹脂製接着テープの中央部幅３ｃｍにテープの長さ１０ｃｍあたり、ミルベメクチン含有製剤５ｇを付着させた製剤を調製した。
【００２０】
［実施例１］
２月下旬に市販の各殺線虫剤を、茨城県内の１０年生クロマツ樹幹の地上１ｍ部位に外樹皮を５ｃｍ幅に環状剥離し、その面全周に塗布した。処理量が多く１度に全量塗布できない場合は乾燥後繰り返し塗布した。ピペラジンは試薬を用い、１０％（ｗ／ｗ）となるようにエタノールに溶解した薬剤を塗布した。各薬剤は塗布乾燥後、風雨による流亡や光による分解を防ぐため樹脂テープを用いて塗布面を覆った。供試したクロマツは胸高直径５〜７ｃｍ、樹高約４ｍであった。その後７月上旬に１本あたり３箇所の枝にマツノザイセンチュウを各枝１万頭ずつ接種した。その年の１２月に発病調査を行った。また同時に塗布部の表皮を剥離して、障害の有無を調査した。比較用に薬剤処理を行わないで、マツノザイセンチュウを接種した試験も実施した。
【００２１】
結果を［表２］に示す。本発明のマツザイセンチュウの防除方法によれば、マツ樹体に障害を起こさずに、マツノザイセンチュウによるマツの枯損を防止できることがわかる。
【００２２】
【表２】
2004182708.tif 000003
【００２３】
［実施例２］
実施例１と同様の１０年生クロマツを使用し、殺線虫剤の処理時期とマツノザイセンチュウの接種時期を実施例１と同様とし、（方法１）〜（方法５）の方法で試験を行った後、発病調査、障害調査を実施した。
（方法１）クロマツの外樹皮を剥離して均平な面にし、そこに滴下用管として１５ｍｌ容のポリプロピレン製中空Ｌ字管の片側開口部を押し付け、中に入れる薬液が漏出しないように接着剤で樹幹に接着させた後、センチュリーエース注入剤を１０ｍｌ入れた。上部の開口部分には内径０．５ｍｍのテフロンチューブを取り付けたシリコン栓を差し込んだ。上記処理をクロマツ１本あたり５個所、地上部１ｍの部位に行った。塩酸レバミゾールの処理合計量は４ｇとなった。
【００２４】
（方法２）クロマツの外樹皮を剥離して、１０年生クロマツの地上部１ｍの部位に、製剤例１による塩酸レバミゾール含有不織布を、１本あたり１５ｃｍ巻きつけ、その上を幅５ｃｍの樹脂製接着テープで覆った。塩酸レバミゾールの処理量は５ｇであった。
（方法３）クロマツの外樹皮を剥離して、１０年生クロマツの地上部１ｍの部位に、製剤例２による塩酸レバミゾール含有膠状製剤を、１本あたり１５ｇ塗布し、その上を幅５ｃｍの樹脂製接着テープで覆った。塩酸レバミゾールの処理量は５ｇであった。
（方法４）クロマツの外樹皮を剥離して、１０年生クロマツの地上部１ｍの部位に、製剤例３によるミルベメクチン含有テープを、１本あたり１５ｃｍ貼り付けた。ミルベメクチンの処理量は０．１５ｇであった。
【００２５】
（方法５）クロマツの外樹皮を剥離せずに、１０年生クロマツの地上部１ｍの部位に、センチュリーエース注入剤を（方法１）と同様に処理した。塩酸レバミゾールの処理合計量は４ｇとなった。
【００２６】
比較用に、薬剤処理を行わないでマツノザイセンチュウを接種し、（方法１）〜（方法５）に順じた試験を実施した。試験結果を［表３］に示す。本発明のマツザイセンチュウの防除方法によれば。マツ樹体に障害を起こさずに、マツノザイセンチュウによるマツの枯損を防止できることがわかる。
【００２７】
【表３】
2004182708.tif 000004
【００２８】
【発明の効果】
本発明のマツザイセンチュウ病の防除方法によれば、マツ樹幹に対する損傷を伴わずに、確実にマツノザイセンチュウによるマツの枯損を防止することができる。また本発明のマツザイセンチュウ病の防除方法は、処理時期が冬〜早春に限定されずに周年処理が可能であり、しかも多大な時間と注入確認等の労力が不要となる。